(57)【要約】      （修正有）【課題】  スピードスケート、フイギュアスケート競技は、スタートダッシュ力、加速力、ジャンプ力、これら全てリンクを蹴る瞬発力は人間の筋力だけである。これでは人間の筋力に限界があることを解決すること。【解決手段】  スケートリンクの競技では、スピードスケート、フイギュアスケート、アイスホッケーなどがあり、これら全て人間の筋力だけでリンクを蹴っていた。本発明では、スケートシューズをリンクに降ろしたとき人間の体重でバネ部材２を縮め、そこからリンクを蹴るときバネ部材２が伸びようとする力が人間の筋力に加わり瞬発力を増強させる。【選択図】図１
2009011328.tif 000002
【特許請求の範囲】
【請求項１】
ブーツ１とブレード５間に、バネ部材２を挟める。このバネ部材２は、図１は、蔓巻きバネを使用しているが他に板バネなどがある。また図１は、前後２ヶ所だが２ヶ所以上にしてもよい。ことを特徴とする瞬発力増強スケートシューズ
【請求項２】
ブーツ１とブレード５間は、ストッパー部材４の底穴に引っ掛けシャフト部材３のシャフト部分を通しブーツ１とブレード５間がスライドし開たり狭くなることを特徴とする瞬発力増強スケートシューズ
【発明の詳細な説明】
【技術分野】
【０００１】  本発明は、スケートシューズに関し、特に、スケートシューズのブーツ１とブレード５間は伸び縮みさせて、そこにバネ部材２を嵌めて弾力を持たした瞬発力増強スケートシューズの改良に関するものである。
【背景技術】
【０００２】  従来のスケートシューズは、図１のブーツ１とブレード５は連結されており人間の筋力だけでスケートリンクを蹴っていたためスピード、ジャンプなどに限界があった。
【発明の開示】
【発明が解決しようとする課題】
【０００３】  スピードスケートは、スタートダッシュ時、スケートリンクを滑る時の瞬発力、フィギュアスケートでは、スケートリンクを蹴ったジャンプ力など人の筋力だけで滑たりジャンプするのに限界があった。瞬発力増強スケートシューズはこれらを解決することを課題とする。
【問題を解決するための手段】
【０００４】  請求項１の発明は、瞬発力増強スケートシューズのブーツ１とブレード５間にバネ部材２を嵌めているのでブーツ１とブレード５間は開いた状態から、スケートリンクの上に降ろすと、人間の体重が掛かりブーツ１とブレード５間は縮まる。そこからリンクを蹴るときバネ部材２は伸びようとしブレード５はリンクを押す力が働く、またブーツ１とブレード５間は反発することで人間の体は前におしだされ人間の筋力以上の瞬発力が増強される。
【０００５】    請求項２の発明は、ブーツ１とブレード５間は、ストッパー部材４の底穴に引っ掛けシャフト部材３のシャフト部分を通したまま引っ掛けシャフト部材３はブレード５の前後２ヶ所に固定して、ストッパ部材４はブーツ１の前後２ヶ所に固定する。ストッパー部材４と引っ掛けシャフト部材３のシャフト部分がスライドする。これによりバネ部材２は伸びたり縮んだりすることを特徴とする。
【発明の効果】
【０００６】  スケートをするとの瞬発力は、スピードスケート、フィギュアスケートでは、ダッシュ力、加速力、ジャンプ力など、すべて人の筋力だけで滑たりジャンプしていた。本発明は、人の筋力にバネ部材２の伸びようとする瞬発力加わり瞬発力が増強される。
【発明を実施するための最良の形態】
【０００７】  図１は、瞬発力増強スケートシューズ断面図は、ストッパー部材４の底穴に引っ掛けシャフト部材３のシャフト部分を通したままストッパー部材４は、ブーツの前後底部２ヶ所固定している。ストッパー部材４の廻りをバネ部材２が巻くように嵌り引っ掛けシャフト部材３はブレード５の前後上面２ヶ所に固定されている。【０００８】  ストッパー部材４と引っ掛けシャフト部材３のシャフト部分がスライドすることでバネ部材２の伸びる力でブーツ１とブレード５間を反発させている。この状態からスケートリンクの上に人が立ったとき人間の体重が掛かりバネ部材２は縮み、そこから滑りリンクを蹴るときにバネ部材２は伸びようとする力が加わり瞬発力が増強される。
【産業上の利用可能性】
【０００９】  本発明に係る瞬発力増強スケートシューズは、工業的に量産する事が可能であるため、産業上の利用可能性を有する。
【図面の簡単な説明】
【００１０】
【図１】  瞬発力増強スケートシューズ断面図
【図２】  バネ部材横図
【図３】  引っ掛けシャフト部材斜め上図
【図４】  ストッパ部材斜め上図
【符号の説明】
【００１１】  １  ブーツ
２  バネ部材
３  引っ掛けシャフト部材
４  ストッパ部材
５  ブレード
【図１】
2009011328.tif 000003
【図２】
2009011328.tif 000004
【図３】
2009011328.tif 000005
【図４】
2009011328.tif 000006
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
瞬発力増強スケートシューズのブーツとブレード間に、蔓巻きバネ部材か板バネを嵌めて、バネの伸縮を利用して瞬発力を増強させる。
【請求項２】
瞬発力増強スケートシューズのブーツとブレード間は、ストッパー部材の底穴に引っ掛けシャフト部材のシャフト部分を通してシャフトがスライドすることで、ブーツとブレード間は、バネ部材の伸縮に対応することを特徴とする瞬発力増強スケートシューズ。
【手続補正２】
【補正対象書類名】明細書
【補正対象項目名】全文
【補正方法】変更
【補正の内容】
【発明の詳細な説明】
【技術分野】
【０００１】  本発明は、スケートシューズのブーツとブレード間にバネ部材を入れて伸縮のバネの伸びる力を利用して、瞬発力を増強させた瞬発力増強スケートシューズの改良に関するものである。
【背景技術】
【０００２】  従来のスケートシューズは、ブーツとブレード間は固定されており人間の筋力だけで、スケートリンクを蹴っていたためスピード、ジャンプなどに限界があった。
【発明の開示】
【発明が解決しようとする課題】
【０００３】  スピードスケートはスタートダッシュ時スケートリンクを滑る時の瞬発力、フィギュアスケートではスケートリンクを蹴ったジャンプ力など、人の筋力だけで滑たりジャンプするのに限界があった。瞬発力増強スケートシューズはこれらを解決することを課題とする。
【問題を解決するための手段】
【０００４】  請求項１の発明は、瞬発力増強スケートシューズのブーツとブレード間にバネ部材を嵌めることでブーツとブレード間は開いた状態になり、人がブーツを履いてスケートリンクの上に立つと体重が掛かって縮まる。そこからリンクを蹴るときバネ部材は伸びようとしブレードはリンクを押す力が働く、またブーツとブレード間は反発することで人の体は前におしだされ人間の筋力以上の瞬発力が増強される。
【０００５】  請求項２の発明は、ブーツとブレード間は、ストッパー部材の底穴に引っ掛けシャフト部材のシャフト部分を通したまま引っ掛けシャフト部材はブレードに固定して、ストッパー部材はブーツ裏に固定する。ストッパー部材と引っ掛けシャフト部材のシャフト部分がスライドすることでシャフトの回りにあるバネ部材の伸縮に対応する。
【発明の効果】
【０００６】  スピードスケートやフィギュアスケートでは、ダッシュ力、加速力、ジャンプ力など、すべて人の筋力だけに限界があった。本発明は、人の筋力にバネの伸びようとする力が加わり瞬発力が増強されることにより、スピードスケートのスタートダッシュや加速力はスピードがアップされ、フィギュアスケートではジャンプ力が高く飛べていままで以上の演技もできる。
【発明を実施するための最良の形態】
【０００７】  図１は、瞬発力増強スケートシューズ断面図。ストッパー部材４の底穴に引っ掛けシャフト部材３のシャフト部分を通したままバネ部材２が回りに嵌った状態である。ストッパー部材４はブーツ裏に固定して引っ掛けシャフト部材３はブレード５上側に固定する。【０００８】  ストッパー部材４と引っ掛けシャフト部材３のシャフト部分がスライドすることで回りのバネ部材２は伸縮される。このためブーツ１とブレード５間のバネ部材２は人の体重で縮む。そこから滑たりジャンプするときスケートリンクからブレード５が離れる瞬間にバネ部材２が伸びようとする力が加わって瞬発力が増強される。
【産業上の利用可能性】
【０００９】  本発明に係る瞬発力増強スケートシューズは、工業的に量産する事が可能であるため、産業上の利用可能性を有する。
【図面の簡単な説明】
【００１０】
【図１】瞬発力増強スケートシューズ断面図
【図２】バネ部材正面図
【図３】引っ掛けシャフト部材斜視図
【図４】ストッパー部材斜視図
【符号の説明】
【００１１】１  ブーツ
２  バネ部材
３  引っ掛けシャフト部材
４  ストッパー部材
５  ブレード